(57)【要約】【課題】形状保持部材によって開口が拡げられた状態を保持することができるとともに開封時に内容物が使用者の手に付着することを抑制することができる包装体を提供する。【解決手段】包装体１は、第１側面フィルム１１と、第２側面フィルム１２と、底フィルム１３とを有するものである。包装体１は、周縁部２０と、収納部３０と、形状保持部材４０とを備えている。周縁部２０は、周縁シール部２１と、底シール部２２と、シール予定部２３とを含んでいる。形状保持部材４０は、超延伸シートと、イージーピール層とを含んでいる。超延伸シートの分子配向方向は、包装体１の幅方向ＷＤに沿っている。イージーピール層は、イージーピール性を有し、かつ第２側面フィルム１２に剥離可能に取り付けられるように構成されている。【選択図】図１
2020142803.tif 000002
【特許請求の範囲】
【請求項１】
第１側面フィルムと、前記第１側面フィルムに向かい合う第２側面フィルムと、前記第１側面フィルムと前記第２側面フィルムとの間に配置された底フィルムとを有する包装体であって、
前記第１側面フィルムおよび前記第２側面フィルムの互いの周縁に配置された周縁部と、
前記周縁部に囲まれた収納部と、
前記第１側面フィルムと前記第２側面フィルムとの間に配置されており、かつ前記第１側面フィルムに取り付けられた形状保持部材とを備え、
前記周縁部は、周縁シール部と、底シール部と、シール予定部とを含み、
前記周縁シール部は、前記第１側面フィルムおよび前記第２側面フィルムの互いの前記周縁の一部をシールしており、
前記底シール部は、前記第１側面フィルムおよび前記第２側面フィルムの各々と前記底フィルムとをそれぞれシールしており、
前記シール予定部は、前記第１側面フィルムおよび前記第２側面フィルムの互いの前記周縁の他部をシールしていない状態で前記包装体の外部と前記収納部とを連通しており、
前記第１側面フィルムおよび前記第２側面フィルムの少なくともいずれかは、前記包装体の前記外部と前記収納部とを連通するように開口するための開口予定部を含み、
前記形状保持部材は、前記開口予定部と前記底シール部との間に配置されており、かつ前記包装体の天地方向に交差する幅方向に延在する超延伸シートと、前記超延伸シートと前記第２側面フィルムとの間において前記超延伸シートに取り付けられたイージーピール層とを含み、
前記超延伸シートの分子配向方向は、前記包装体の前記幅方向に沿い、
前記イージーピール層は、イージーピール性を有し、かつ前記第２側面フィルムに剥離可能に取り付けられるように構成されている、包装体。
【請求項２】
前記超延伸シートは、ハイデンシティポリエチレンからなり、
前記イージーピール層は、ポリエチレン系フィルムからなっている、請求項１に記載の包装体。
【請求項３】
前記形状保持部材は、前記包装体の前記幅方向の両端にわたって連続して配置されており、
前記両端において、前記イージーピール層は前記第２側面フィルムに溶着されている、請求項２に記載の包装体。
【請求項４】
前記収納部に収納された内容物をさらに備え、
前記内容物が前記収納部に収納された状態において、前記シール予定部では、前記第１側面フィルムおよび前記第２側面フィルムの互いの前記周縁の前記他部がシールされており、かつ前記イージーピール層は前記第２側面フィルムに取り付けられている、請求項１〜３のいずれか１項に記載の包装体。
【請求項５】
前記開口予定部は、前記包装体の前記外部と前記収納部とを連通するように開口しており、かつ前記イージーピール層は、前記幅方向の中央において前記第２側面フィルムから剥離されている、請求項４に記載の包装体。
【発明の詳細な説明】
【技術分野】
【０００１】
本発明は包装体に関するものである。
【背景技術】
【０００２】
従来、食品等の内容物を収納可能な包装体が提案されている。この包装体として、例えば、特開２０１８−８３６４０号公報（特許文献１）には、開封されることにより形成される開口の形状を保持するための形状保持部材を備えた包装袋が記載されている。包装体の開封予定線は、包装体の天地方向において上部のシール部と形状保持部材との間に配置されている。
【先行技術文献】
【特許文献】
【０００３】
【特許文献１】特開２０１８−８３６４０号公報
【発明の概要】
【発明が解決しようとする課題】
【０００４】
上記公報に記載された包装袋では、開封予定線が包装体の天地方向において上部のシール部と形状保持部材との間に配置されている。このため、包装袋に収納された内容物が形状保持部材と開封予定線（開口予定部）との間に入る。したがって、包装袋の開封時に包装袋を開封し難い。また、包装袋の開封時に内容物が使用者の手に付着する。
【０００５】
本発明は、上記課題に鑑みてなされたものであり、その目的は、形状保持部材によって開口が拡げられた状態を保持することができるとともに内容物が形状保持部材と開口予定部との間に入ることを抑制することができる包装体を提供することである。
【課題を解決するための手段】
【０００６】
本発明の包装体は、第１側面フィルムと、第２側面フィルムと、底フィルムとを有するものである。第２側面フィルムは、第１側面フィルムに向かい合う。底フィルムは、第１側面フィルムと第２側面フィルムとの間に配置されている。包装体は、周縁部と、収納部と、形状保持部材とを備えている。周縁部は、第１側面フィルムおよび第２側面フィルムの互いの周縁に配置されている。収納部は、周縁部に囲まれている。形状保持部材は、第１側面フィルムと第２側面フィルムとの間に配置されており、かつ第１側面フィルムに取り付けられている。周縁部は、周縁シール部と、底シール部と、シール予定部とを含んでいる。周縁シール部は、第１側面フィルムおよび第２側面フィルムの互いの周縁の一部をシールしている。底シール部は、第１側面フィルムおよび第２側面フィルムの各々と底フィルムとをそれぞれシールしている。シール予定部は、第１側面フィルムおよび第２側面フィルムの互いの周縁の他部をシールしていない状態で包装体の外部と収納部とを連通している。第１側面フィルムおよび第２側面フィルムの少なくともいずれかは、包装体の外部と収納部とを連通するように開口するための開口予定部を含んでいる。形状保持部材は、超延伸シートと、イージーピール層とを含んでいる。超延伸シートは、開口予定部と底シール部との間に配置されており、かつ包装体の天地方向に交差する幅方向に延在する。イージーピール層は、超延伸シートと第２側面フィルムとの間において超延伸シートに取り付けられている。超延伸シートの分子配向方向は、包装体の幅方向に沿っている。イージーピール層は、イージーピール性を有し、かつ第２側面フィルムに剥離可能に取り付けられるように構成されている。
【発明の効果】
【０００７】
本発明の包装体によれば、形状保持部材によって開口が拡げられた状態を保持することができるとともに内容物が形状保持部材と開口予定部との間に入ることを抑制することができる。
【図面の簡単な説明】
【０００８】
【図１】本発明の実施の形態１に係る包装体の構成を概略的に示す正面図である。
【図２】図１のＩＩ−ＩＩ線に沿う断面図である。
【図３】本発明の実施の形態１に係る包装体の形状保持部材の構成を概略的に示す斜視図である。
【図４】図３のＩＶ−ＩＶ線に沿う断面斜視図である。
【図５】図１のＶ−Ｖ線に沿う断面図である。
【図６】本発明の実施の形態１に係る包装体の構成を概略的に示す斜視図であって、内容物が収納部に収納された状態を示す図である。
【図７】図６のＶＩＩ−ＶＩＩ線に沿う断面図である。
【図８】図７のＶＩＩＩ部の拡大図である。
【図９】本発明の実施の形態１に係る包装体の構成を概略的に示す斜視図であって、開口予定部が開口した状態を示す図である。
【図１０】図９のＸ−Ｘ線に沿う断面図である。
【図１１】図１０のＸＩ部の拡大図である。
【図１２】本発明の実施の形態１に係る包装体の開口が拡げられた状態を示す斜視図である。
【図１３】本発明の実施の形態２に係る包装体の構成を概略的に示す正面図である。
【発明を実施するための形態】
【０００９】
以下、図面を参照して、本発明の実施の形態について説明する。なお、特に言及しない限り、以下の図面において、同一または相当する部分には同一の参照符号を付し、その説明を繰り返さない。また、各図中のドットが表示された領域はシールされた部分を示している。本発明の実施の形態において「シールする」とは、２つのフィルム同士を接着して２つのフィルム同士の間を気密に封止することを意味する。
【００１０】
（実施の形態１）
図１および図２を参照して、本発明の実施の形態１に係る包装体１の構成について説明する。図１および図２は、内容物１０（図６参照）が包装体１に収納される前の状態を示している。本実施の形態に係る包装体１は、第１側面フィルム１１と、第２側面フィルム１２と、底フィルム１３とを有している。第１側面フィルム１１および第２側面フィルム１２の各々は、例えば、第１側面フィルム１１および第２側面フィルム１２が互いに重なる方向から見て矩形の形状を有していてもよい。第２側面フィルム１２は、第１側面フィルム１１に向かい合うように配置されている。また、第１側面フィルム１１および第２側面フィルム１２の各々は、同一の寸法を有していてもよい。
【００１１】
底フィルム１３は、第１側面フィルム１１と第２側面フィルム１２との間に配置されている。底フィルム１３は、包装体１の天地方向（上下方向）ＨＤにおいて包装体１の下端から第１側面フィルム１１と第２側面フィルム１２との間に挿入されている。底フィルム１３は、２つ折りの状態で折り目から第１側面フィルム１１と第２側面フィルム１２との間に挿入されている。包装体１は、底フィルム１３を底として自立可能に構成されている。すなわち、包装体１は、スタンディングパウチである。
【００１２】
包装体１は、周縁部２０と、収納部３０と、形状保持部材４０とを備えている。周縁部２０は、第１側面フィルム１１および第２側面フィルム１２の互いの周縁に配置されている。周縁部２０は、周縁シール部２１と、底シール部２２と、シール予定部２３とを含んでいる。周縁シール部２１は、第１側面フィルム１１および第２側面フィルム１２の互いの周縁の一部をシールしている。本実施の形態では、周縁シール部２１は、包装体１の幅方向（左右方向）ＷＤにおいて包装体１の両側の側端に配置されている。
【００１３】
底シール部２２は、第１側面フィルム１１および第２側面フィルム１２の各々と底フィルム１３とをそれぞれシールしている。底シール部２２は、包装体１の天地方向ＨＤにおいて包装体１の下端に配置されている。シール予定部２３は、第１側面フィルム１１および第２側面フィルム１２の互いの周縁の他部をシールしていない状態で包装体１の外部と収納部３０とを連通している。すなわち、内容物１０が包装体１に収納される前の状態では、第１側面フィルム１１および第２側面フィルム１２の互いの周縁の一部はシールされており、他部はシールされていない。
【００１４】
シール予定部２３は、包装体１の外部から内容物１０を収納部３０に収納する際に内容物１０を通すためのものである。シール予定部２３は、内容物１０が収納部３０に収納される前の状態ではシールされていない。シール予定部２３は、包装体１の外部からシール予定部２３を通って内容物１０が収納部３０に収納された後にシールされる。本実施の形態では、シール予定部２３は、包装体１の天地方向ＨＤにおいて包装体１の上端に設けられている。なお、シール予定部２３の位置は包装体１の上端に限定されない。シール予定部２３は、例えば、包装体１の幅方向ＷＤにおいて包装体１の側端に設けられてもよい。
【００１５】
内容物１０が収納部３０に収納される前の状態では、包装体１の周縁部２０は、シールされた領域である周縁シール部２１および底シール部２２と、シールされていない領域であるシール予定部２３を有している。すなわち、内容物１０が収納部３０に収納される前の状態では、包装体１の周縁部２０は、シール予定部２３以外においてシールされている。包装体１の周縁部２０は、具体的には、例えば、熱溶着によりシールされていてもよい。
【００１６】
第１側面フィルム１１、第２側面フィルム１２および底フィルム１３の各々は、積層体により構成されていてもよい。具体的には、第１側面フィルム１１、第２側面フィルム１２および底フィルム１３の各々は、例えば、シールされる側からリニアローデンシティポリエチレン（ＬＬＤＰＥ）、ナイロン（ＮＹ）、透明蒸着ポリエチレンテレフタレート（ＰＥＴ）の各層が重ねられた３層構造を有していてもよい。また、これらの各層の厚みは、例えば、リニアローデンシティポリエチレン（ＬＬＤＰＥ）が６０μｍであり、ナイロン（ＮＹ）が２５μｍであり、透明蒸着ポリエチレンテレフタレート（ＰＥＴ）が１２μｍであってもよい。
【００１７】
収納部３０は内容物１０を収納するように構成されている。内容物１０は、例えば、ポテトサラダなどの食品であってもよい。収納部３０は、周縁部２０に囲まれている。具体的には、第１側面フィルム１１から第２側面フィルム１２に向かう方向において、第１側面フィルム１１側から包装体１を見たときに、収納部３０は周縁部２０に囲まれている。すなわち、平面視（正面視）において、収納部３０は周縁部２０に囲まれている。
【００１８】
包装体１は、開封機構として開口予定部５０を有している。具体的には、第１側面フィルム１１および第２側面フィルム１２の少なくともいずれかは、包装体１の外部と収納部３０とを連通するように開口するための開口予定部５０を含んでいる。開口予定部５０は、開口予定部５０が開口した後に内容物を取り出すためのものである。内容物１０が包装体１に収納される前の状態では開口予定部５０は開口していない。開口予定部５０は、包装体１の天地方向ＨＤにおいて、形状保持部材４０とシール予定部２３との間に配置されている。開口予定部５０は、包装体１の天地方向ＨＤにおいて、形状保持部材４０よりも上側に配置されている。開口予定部５０は、包装体１の幅方向ＷＤにおいて、両側の側端の間に配置されている。開口予定部５０においては、第１側面フィルム１１および第２側面フィルム１２の少なくともいずれかの表面にレーザー加工により溝が設けられていてもよい。包装体１の幅方向ＷＤにおいて、開口予定部５０を挟むように両側の側端に切り込みＣＵが設けられている。
【００１９】
切り込みＣＵは、包装体１の幅方向ＷＤの両端に設けられている。つまり、切り込みＣＵは、包装体１の幅方向ＷＤの一端１ａおよび他端１ｂにそれぞれ設けられている。切り込みＣＵは、包装体１の天地方向ＨＤにおいて一端１ａおよび他端１ｂにおいて同じ高さ位置に配置されていてもよい。切り込みＣＵは、包装体１の幅方向ＷＤの両端の各々において反対側の端に向かって直線状に延在している。なお、切り込みＣＵは、包装体１の幅方向ＷＤの両端のうちいずれか一方のみに設けられていてもよい。
【００２０】
切り込みＣＵは、包装体１の天地方向ＨＤにおいて、形状保持部材４０とシール予定部２３との間に配置されている。シール予定部２３がシールされた状態で、切り込みＣＵから包装体１の幅方向ＷＤに第１側面フィルム１１および第２側面フィルム１２が切断されることにより包装体１が開口される。
【００２１】
開口予定部５０は、切り込みＣＵから包装体１の幅方向ＷＤに第１側面フィルム１１および第２側面フィルム１２が切断された後の包装体１の上端に配置される。つまり、開口は、包装体１の天地方向ＨＤにおいて包装体１の一方端Ｅ１と他方端Ｅ２との間に配置される。
【００２２】
形状保持部材４０は、第１側面フィルム１１と第２側面フィルム１２との間に配置されている。形状保持部材４０は、収納部３０に対して露出している。つまり、形状保持部材４０は収納部３０側においてラミネートフィルムによって覆われていない。形状保持部材４０は、第１側面フィルム１１に取り付けられている。形状保持部材４０は、シート状に構成されている。形状保持部材４０は、帯状に構成されている。包装体１の天地方向ＨＤにおける形状保持部材４０の幅は一定であってもよい。包装体１の天地方向ＨＤにおける形状保持部材４０の幅は、例えば３ｍｍ以上３０ｍｍ以下であってもよい。
【００２３】
形状保持部材４０は、開口予定部５０と底シール部２２との間に配置されている。包装体１の天地方向ＨＤにおいて、形状保持部材４０は、開口予定部５０と底シール部２２との間に配置されている。この状態では、形状保持部材４０は湾曲していない。形状保持部材４０は、第２側面フィルム１２から第１側面フィルム１１に向かう方向に突出するように湾曲した状態で形状を保持可能である。包装体１の天地方向ＨＤにおいて、形状保持部材４０は開口予定部５０よりも底シール部２２に向けて１ｍｍ以上２０ｍｍ以下の位置に配置されていることが好ましい。
【００２４】
形状保持部材４０は、包装体１の幅方向ＷＤの中央に配置されていることが好ましい。また、形状保持部材４０は、包装体１の幅方向ＷＤの両端にわたって連続して配置されていることが好ましい。本実施の形態では、形状保持部材４０は、包装体１の幅方向ＷＤの両端にわたって連続して配置されている。
【００２５】
図３および図４を参照して、形状保持部材４０は、超延伸シートＳＳと、第１シートＳ１と、イージーピール層ＥＰとを含んでいる。超延伸シートＳＳと第１シートＳ１とイージーピール層ＥＰとは互いに積層されている。超延伸シートＳＳは、第１シートＳ１とイージーピール層ＥＰとに挟まれている。超延伸シートＳＳは、包装体１の天地方向ＨＤに交差する幅方向ＷＤに延在する。
【００２６】
超延伸シートＳＳは、分子を一軸方向に配向させたものである。超延伸シートＳＳの分子配向方向は、包装体１の幅方向ＷＤに沿っている。超延伸シートＳＳは、分子配向方向に沿う折り曲げ線を中心としては屈曲することが容易であり、分子配向方向に交差する折り曲げ線を中心としては屈曲することが困難であるとともに屈曲された状態で形状を保持することが可能に構成されている。したがって、超延伸シートＳＳが取り付けられた第１側面フィルム１１は、デッドホールド性を有する。このデッドホールド性とは屈曲された状態を保持する性質である。
【００２７】
第１シートＳ１およびイージーピール層ＥＰは超延伸シートＳＳを第１側面フィルム１１と第２側面フィルム１２とが向かい合う方向に挟むように構成されている。第１シートＳ１およびイージーピール層ＥＰの各々は、包装体１の天地方向ＨＤに交差する幅方向ＷＤに延在する。第１シートＳ１およびイージーピール層ＥＰの各々は、包装体１の天地方向ＨＤにおいて、超延伸シートＳＳと同じ幅を有していてもよい。
【００２８】
第１シートＳ１は、超延伸シートＳＳと第１側面フィルム１１とに取り付けられている。第１シートＳ１の融点は、超延伸シートＳＳの融点よりも低い。イージーピール層ＥＰは、超延伸シートＳＳと第２側面フィルム１２との間において超延伸シートＳＳに取り付けられている。イージーピール層ＥＰは、超延伸シートＳＳに第１シートＳ１と反対側に取り付けられている。イージーピール層ＥＰの融点は、超延伸シートＳＳの融点よりも低い。
【００２９】
イージーピール層ＥＰは、イージーピール性を有している。イージーピール性とは、シール部が手などで剥離（ピール）し易く、かつ、ある程度の剥離強度を有する性質をいう。ＪＩＳ−Ｚ０２３８のヒートシール軟包装袋及び半剛性容器の試験方法の袋の使用目的に応じたヒートシール強さの目安によれば、ヒートシール強さは、イージーピールの袋などでヒートシール強さが小さくてよい場合３Ｎ／１５ｍｍ以上とされ、普通のヒートシール強さを要する場合６Ｎ／１５ｍｍ以上とされている。本実施の形態では、イージーピール層ＥＰのヒートシール強さは、例えば、３Ｎ／１５ｍｍ以上６Ｎ／１５ｍｍ未満である。
【００３０】
イージーピール層ＥＰは、第２側面フィルム１２に剥離可能に取り付けられるように構成されている。イージーピール層ＥＰは、凝集剥離することにより第２側面フィルム１２から剥離するように構成されている。また、イージーピール層ＥＰは、界面剥離することにより第２側面フィルム１２から剥離するように構成されていてもよい。この場合、イージーピール層ＥＰは、超延伸シートＳＳよりも第２側面フィルム１２から剥離し易いように構成されている。さらに、イージーピール層ＥＰが第２側面フィルム１２から剥離するために要する力は、第１シートＳ１が第１側面フィルム１１から剥離するために要する力よりも小さい。また、イージーピール層ＥＰは複数の層により構成されていてもよい。この場合、イージーピール層ＥＰは、複数の層で層間剥離することにより第２側面フィルム１２から剥離するように構成されていてもよい。
【００３１】
図１および図５を参照して、本実施の形態では、第１シートＳ１およびイージーピール層ＥＰの各々は、包装体１の幅方向ＷＤの両端に配置されている。包装体１の幅方向ＷＤの両端において、第１シートＳ１およびイージーピール層ＥＰの各々は、第１側面フィルム１１および第２側面フィルム１２に挟まれている。
【００３２】
包装体１の幅方向ＷＤの両端において、第１シートＳ１は第１側面フィルム１１に溶着されており、イージーピール層ＥＰは第２側面フィルム１２に溶着されている。なお、この状態においては、イージーピール層ＥＰは、包装体１の幅方向ＷＤの両端以外では、第２側面フィルム１２に溶着されていない。
【００３３】
第１シートＳ１およびイージーピール層ＥＰの各々の融点は超延伸シートＳＳの融点よりも低いため、第１シートＳ１およびイージーピール層ＥＰの各々は超延伸シートＳＳに比べて第１側面フィルム１１および第２側面フィルム１２に溶着することが容易となる。
【００３４】
また、形状保持部材４０が超延伸シートＳＳのみで構成されている場合には、包装体１の幅方向ＷＤの両端において、第１側面フィルム１１と第２側面フィルム１２とが溶着される際に、超延伸シートＳＳの上下に第１側面フィルム１１と第２側面フィルム１２との間の隙間ＧＰが形成される。
【００３５】
これに対して、本実施の形態では、形状保持部材４０が超延伸シートＳＳを挟む第１シートＳ１およびイージーピール層ＥＰを有しているため、溶着時に第１シートＳ１およびイージーピール層ＥＰが溶けることにより超延伸シートＳＳの上下で第１側面フィルム１１と第２側面フィルム１２との間に形成される隙間ＧＰを埋める。
【００３６】
したがって、本実施の形態では、形状保持部材４０が超延伸シートＳＳのみで構成されている場合よりも、溶着時に形状保持部材４０の上下で第１側面フィルム１１と第２側面フィルム１２との間に形成される隙間ＧＰが小さくなる。つまり、第１シートＳ１およびイージーピール層ＥＰの埋まりが良くなる。
【００３７】
また、本実施の形態では、第１シートＳ１およびイージーピール層ＥＰが超延伸シートＳＳの両側に配置されているため、第１シートＳ１およびイージーピール層ＥＰのいずれか一方のみが超延伸シートＳＳの片側に配置されている場合に比べて、溶着時に形状保持部材４０の上下で第１側面フィルム１１と第２側面フィルムとの間に形成される隙間ＧＰが小さくなる。
【００３８】
本実施の形態では、超延伸シートＳＳは、ハイデンシティポリエチレン（ＨＤＰＥ）からなるシートである。また、第１シートＳ１はリニアローデンシティポリエチレン（ＬＬＤＰＥ）からなるシートである。また、イージーピール層ＥＰは、ポリエチレン系フィルムからなっている。このポリエチレン系フィルムは、例えば、ポリエチレンにポリプロピレンをブレンドしたブレンド樹脂である。形状保持部材４０は、シールされる側から、リニアローデンシティポリエチレン（ＬＬＤＰＥ）、ハイデンシティポリエチレン（ＨＤＰＥ）、ポリエチレン系フィルムの各層が重ねられた３層構造を有している。また、これらの厚みは、例えば、ハイデンシティポリエチレン（ＨＤＰＥ）が３００μｍであり、リニアローデンシティポリエチレン（ＬＬＤＰＥ）が３０μｍであり、ポリエチレン系フィルムが３０μｍであってもよい。
【００３９】
次に、図６〜図８を参照して、内容物１０が収納部３０に収納された状態における包装体１の構成について説明する。図６に示されるように、この状態では、包装体１は、収納部３０に収納された内容物１０をさらに備えている。内容物１０が収納部３０に収納された状態において、シール予定部２３では、第１側面フィルム１１および第２側面フィルム１２の互いの周縁の他部がシールされている。シール予定部２３では、具体的には、第１側面フィルム１１および第２側面フィルム１２は互いに熱溶着によりシールされていてもよい。これにより、全ての周縁部２０がシールされている。したがって、内容物１０が収納部３０に収納された状態において収納部３０は密閉されている。
【００４０】
図７および図８に示されるように、内容物１０が収納部３０に収納された状態において、イージーピール層ＥＰは第２側面フィルム１２に取り付けられている。具体的には、イージーピール層ＥＰは第２側面フィルム１２に溶着されている。また、第１シートＳ１は第１側面フィルム１１に溶着されている。したがって、内容物１０が収納部３０に収納された状態で、包装体１の天地方向ＨＤにおいて形状保持部材４０よりも上側に内容物１０が入ることが抑制される。また、包装体１の天地方向ＨＤにおいて形状保持部材４０よりも上側での第１側面フィルム１１と第２側面フィルム１２との間の空間が小さくなる。
【００４１】
次に、図９〜図１２を参照して、包装体１が開口予定部５０で開口された状態における包装体１の構成について説明する。この包装体１が開口予定部５０で開口された状態では、包装体１の天地方向ＨＤにおいて開口よりも上端側の第１側面フィルム１１および第２側面フィルム１２の部分は切り取られている。この状態では、図６〜図８に示された状態と同様に、包装体１は、収納部３０に収納された内容物１０をさらに備えている。開口予定部５０は、包装体１の外部と収納部３０とを連通するように開口している。
【００４２】
図９に示されるように、包装体１の使用者によって、切り込みＣＵから包装体１の幅方向ＷＤに第１側面フィルム１１および第２側面フィルム１２が切断されることにより包装体１が開口予定部５０で開口される。
【００４３】
図１０および図１１に示されるように、包装体１が開口予定部５０で開口された後に、包装体１の使用者によって、イージーピール層ＥＰは包装体１の幅方向ＷＤの中央において第２側面フィルム１２から剥離される。したがって、イージーピール層ＥＰは、幅方向ＷＤの中央において第２側面フィルム１２から剥離されている。
【００４４】
続いて、図１２に示されるように、包装体１が開口予定部５０で開口された後に、包装体１の使用者によって、図１２中矢印Ａで示されるように、形状保持部材４０が第２側面フィルム１２と反対側に突出するように湾曲した状態に変形される。これにより、形状保持部材４０が取り付けられた第１側面フィルム１１は、形状保持部材４０の形状にあわせて第２側面フィルム１２と反対側に突出するように湾曲した状態に変形される。このとき、図１２中矢印Ｂで示されるように、包装体１の天地方向ＨＤの上端において、周縁シール部２１は、包装体１の幅方向ＷＤにおける両端が互いに近づくように変形される。これにより、図１２中矢印Ｃで示されるように、開口を構成する第２側面フィルム１２は、第１側面フィルム１１が湾曲する方向に対して反対側に湾曲する。このようにして開口が拡げられる。そして、この開口が拡げられた状態で形状保持部材４０が形状を保持することにより、包装体１の天地方向ＨＤの上端に設けられた開口の形状が保持される。このようにし、開口が拡げられた状態が保持される。
【００４５】
次に、本実施の形態に係る包装体１の作用効果について説明する。
本実施の形態に係る包装体１によれば、形状保持部材４０は、開口予定部５０と底シール部２２との間に配置されており、かつ包装体１の幅方向ＷＤに延在する超延伸シートＳＳを含んでいる。超延伸シートＳＳの分子配向方向は、包装体１の幅方向ＷＤに沿っている。超延伸シートＳＳは、分子配向方向に沿う折り曲げ線を中心としては屈曲することが容易であり、分子配向方向に交差する折り曲げ線を中心としては屈曲することが困難であるとともに屈曲された状態で形状を保持することが可能である。したがって、超延伸シートＳＳは、第１側面フィルム１１と第２側面フィルム１２とが向かい合う方向に屈曲させた状態で形状を保持することが可能である。このため、超延伸シートＳＳの形状にあわせて第１側面フィルム１１および第２側面フィルム１２を変形させた状態で形状を保持することが可能である。このようにして、包装体１が開口予定部５０で開口されたときに、形状保持部材４０によって開口が拡げられた状態を保持することができる。したがって、開口から内容物１０を取り出すことが容易となる。また、収納部３０への食器の出し入れを簡単に行うことが可能となる。
【００４６】
また、形状保持部材４０のイージーピール層ＥＰは、イージーピール性を有し、かつ第２側面フィルム１２に剥離可能に取り付けられるように構成されている。このため、内容物１０が収納された状態において、イージーピール層ＥＰが第２側面フィルム１２に取り付けられることにより、内容物１０が形状保持部材４０と開口予定部５０との間に入ることを抑制することが可能となる。また、イージーピール層ＥＰが第２側面フィルム１２から剥離されることにより内容物１０を開口から取り出すことが可能となる。
【００４７】
本実施の形態に係る包装体１では、イージーピール層ＥＰにより形状保持部材４０と開口予定部５０との間に内容物１０が入ることを抑制することができる。したがって、包装体１が開口予定部５０で開封される時に、内容物１０が邪魔にならないため、包装体１を開封し易くすることができる。なお、ポテトサラダなどの粘度が高い内容物１０は、包装体１の収容部３０内において上部へ押し上がる。本実施の形態に係る包装体１では、このような粘度が高い内容物１０であっても形状保持部材４０よりも上側に内容物１０が押し上がることを抑制することができるため包装体１を開封し易くすることができる。
【００４８】
本実施の形態に係る包装体１では、イージーピール層ＥＰにより形状保持部材４０と開口予定部５０との間に内容物１０が入ることを抑制することができる。したがって、包装体１が開口予定部５０で開封される時に、内容物１０が使用者の手に付着することを抑制することができる。これにより、包装体１の開封時に使用者の手を汚れ難くすることができる。さらに、包装体１の開封時に内容物１０に使用者の手が接触することによる衛生の悪化を抑制することができる。本実施の形態に係る包装体１では、粘度が高い内容物１０であっても包装体１の開封時に内容物１０が使用者の手に付着することを抑制することができる。
【００４９】
本実施の形態に係る包装体１では、イージーピール層ＥＰにより形状保持部材４０と開口予定部５０との間に内容物１０が入ることを抑制することができる。したがって、形状保持部材４０と開口予定部５０との間での第１側面フィルム１１と第２側面フィルム１２との間の空間を小さくすることができる。このため、包装体１の開封時のカット性を向上させることができる。これにより、易開封性を向上させることができる。
【００５０】
本実施の形態に係る包装体１では、形状保持部材４０に沿って開口予定部５０において包装体１を開口することができる。このため、開口予定部５０において包装体１を開口することが容易である。これによっても、易開封性を向上させることができる。
【００５１】
本実施の形態に係る包装体１では、イージーピール層ＥＰが第２側面フィルム１２に取り付けられるため、形状保持部材４０と底シール部２２との間に内容物１０を封止することができる。したがって、形状保持部材４０に対して底シール部２２と反対側に配置された開口予定部５０においてバリア性を低下させることが可能となる。このため、開口予定部５０においてレーザー加工により溝を設けることが可能となる。この溝により開口予定部５０において包装体１を開口することが容易となる。これによっても、易開封性を向上させることができる。
【００５２】
本実施の形態に係る包装体１によれば、超延伸シートＳＳはハイデンシティポリエチレンからなり、イージーピール層ＥＰはポリエチレン系フィルムからなっている。このため、超延伸シートＳＳにイージーピール層ＥＰを熱ラミネート加工により直接接着することができる。したがって、包装体１の生産性を向上させることができる。また、超延伸シートＳＳにイージーピール層ＥＰを接着剤により接着しないため、包装体１内に接着剤が浸み出すことを防止することができる。
【００５３】
本実施の形態に係る包装体１では、イージーピール層ＥＰはポリエチレン系フィルムからなっているため、シール予定部２３をシールするときにイージーピール層ＥＰを一緒にシールすることができる。したがって、包装体１の生産性を向上させることができる。
【００５４】
本実施の形態に係る包装体１によれば、形状保持部材４０は包装体１の幅方向ＷＤの両端にわたって連続して配置されている。このため、第１側面フィルム１１に取り付けられた形状保持部材４０が第２側面フィルム１２と反対側に湾曲されることにより、形状保持部材４０の剛性によって第２側面フィルム１２が第１側面フィルム１１と反対側に湾曲する。これにより、包装体１を開口させることが容易となる。また、包装体１の幅方向ＷＤの中央を湾曲させることにより包装体１の幅方向ＷＤの両端にわたって包装体１を開口させることが容易となる。さらに、形状保持部材４０を包装体１の幅方向ＷＤの両端にわたって連続して形成することにより、形状保持部材４０の製造が容易となる。
【００５５】
また、包装体１の幅方向ＷＤの両端において、イージーピール層ＥＰは第２側面フィルム１２に溶着されている。超延伸シートＳＳはハイデンシティポリエチレンからなり、イージーピール層ＥＰはポリエチレン系フィルムからなっている。このため、イージーピール層ＥＰの融点を超延伸シートＳＳの融点よりも低くすることができる。したがって、溶着時にイージーピール層ＥＰが溶けることにより、超延伸シートＳＳの上下で第１側面フィルムと第２側面フィルム１２との間に形成される隙間ＧＰが埋められる。よって、この隙間ＧＰから空気、水蒸気、内容物１０などが漏れることを抑制することができる。
【００５６】
本実施の形態に係る包装体１によれば、内容物１０が収納部３０に収納された状態において、シール予定部２３では、第１側面フィルム１１および第２側面フィルム１２の互いの周縁の他部がシールされている。このため、内容物１０が収納部３０に収納された状態において、収納部３０を密閉することができる。また、内容物１０が収納部３０に収容された状態において、イージーピール層ＥＰが第２側面フィルム１２に取り付けられている。このため、形状保持部材４０と開口予定部５０との間に内容物１０が入ることを抑制することができる。
【００５７】
本実施の形態に係る包装体１によれば、開口予定部５０は、包装体１の外部と収納部３０とを連通するように開口している。このため、開口予定部５０が開口した状態において、開口が拡げられた状態を形状保持部材４０によって保持することができる。また、イージーピール層ＥＰは、幅方向ＷＤの中央において第２側面フィルム１２から剥離されているため、開口から内容物１０を取り出すことができる。
【００５８】
（実施の形態２）
図１３を参照して、本発明の実施の形態２に係る包装体１の構成について説明する。本実施の形態に係る包装体１は、実施の形態１に係る包装体１に比べて、包装体１の外形が主に異なっている。具体的には、包装体１の幅方向ＷＤの両端の形状が主に異なっている。
【００５９】
包装体１は、包装体１の天地方向ＨＤにおいて下端から上端に向かって包装体１の幅方向ＷＤの幅が大きくなるように構成されている。すなわち、包装体１は、包装体１の天地方向ＨＤにおいて下端から上端に向かって包装体１の幅方向ＷＤの寸法が大きくなるテーパ形状を有している。また収納部３０も包装体１の天地方向ＨＤにおいて下端から上端に向かって包装体１の幅方向ＷＤの幅が大きくなるように構成されている。したがって、収納部３０の包装体１の幅方向ＷＤの断面における断面積は、包装体１の天地方向ＨＤにおいて下端から開口に向かって大きくなる。
【００６０】
本実施の形態に係る包装体１によれば、包装体１は、包装体１の天地方向ＨＤにおいて下端から上端に向かって包装体１の幅方向ＷＤの寸法が大きくなるテーパ形状を有しているため、開口が拡げられた状態でより安定する。
【００６１】
なお、上記の実施の形態１および２は適宜組み合わせることができる。
【実施例】
【００６２】
以下、本発明の実施例について比較例と対比して説明する。なお、特に言及しない限り、本発明の実施例は上記の実施の形態の包装体と同様の構成を備えている。
【００６３】
実施例および比較例１〜２の各々の包装体を用いて、比較官能評価を実施した。実施例は本発明の実施例である。比較例１〜２は、本発明の実施例に対する比較例である。実施例および比較例１〜２の各々の包装体は、第１側面フィルムと、第２側面フィルムと、底フィルムとを有するスタンディングパウチである。実施例および比較例１〜２の各々の内容物は、ポテトサラダである。実施例および比較例１〜２の包装体では、包装体を外部と収納部とを連通するように開口させた状態で比較官能評価を行った。
【００６４】
実施例および比較例１〜２の各々の包装体は天地方向において下端から上端に向かって包装体の幅方向の寸法が大きくなるテーパ形状を有している。実施例および比較例１〜２の各々の包装体の収納部には内容物が収納されている。実施例および比較例１〜２の各々の包装体の天地方向の全長は１００ｍｍであり、包装体の上端での幅方向の全幅は１５０ｍｍであり、包装体の下端での幅方向の全幅は１４０ｍｍである。
【００６５】
第１側面フィルム、第２側面フィルムおよび底フィルムの各々は、シールされる側からリニアローデンシティポリエチレン（ＬＬＤＰＥ）、ナイロン（ＮＹ）、透明蒸着ポリエチレンテレフタレート（ＰＥＴ）の各層がシールされる側から重ねられた３層構造を有している。また、これらの各層の厚みは、リニアローデンシティポリエチレン（ＬＬＤＰＥ）が６０μｍであり、ナイロン（ＮＹ）が２５μｍであり、透明蒸着ポリエチレンテレフタレート（ＰＥＴ）が１２μｍである。
【００６６】
形状保持部材の第１シート、超延伸シート、イージーピール層の各々は、シールされる側から、リニアローデンシティポリエチレン（ＬＬＤＰＥ）、ハイデンシティポリエチレン（ＨＤＰＥ）、ポリエチレン系フィルムの各層が重ねられた３層構造を有している。また、これらの厚みは、例えば、ハイデンシティポリエチレン（ＨＤＰＥ）が３００μｍであり、リニアローデンシティポリエチレン（ＬＬＤＰＥ）が３０μｍであり、ポリエチレン系フィルムが３０μｍである。
【００６７】
実施例の包装体では、形状保持部材が設けられている。実施例の包装体では、第１側面フィルムに形状保持部材が取り付けられている。実施例の包装体では、形状保持部材はイージーピール層を含んでいる。比較例１の包装体では、第１側面フィルムに形状保持部材が取り付けられている。比較例１の包装体では、形状保持部材はイージーピール層を含んでいない。比較例２の包装体では、形状保持部材が設けられていない。
【００６８】
比較官能評価の結果を表１に示す。表１に示されるように、比較官能評価では、開口性、易開封性、手の汚れ難さ、総合評価の各々を評価した。開口性は、開口予定部の開口のし易さである。易開封性は、包装体の開封のし易さである。手の汚れ難さは、包装体の開封時における内容物の使用者の手への付着し難さである。総合評価は、開口性、易開封性、手の汚れ難さの平均値である。これらの評価は数字１〜５を用いて５段階で評価した。具体的には、最も悪い場合には１とし、最も良い場合には５とし、中間は３として評価した。評価者は５人とした。評価の数値は５人の平均値とした。
【００６９】
【表１】
2020142803.tif 000003
【００７０】
比較官能評価の結果、実施例は比較例１〜２よりも開封性の評価が高くなった。実施例では、イージーピール層により形状保持部材と開口予定部との間に内容物が入ることが抑制される。このため、包装体の開封時に内容物が邪魔にならない。したがって、実施例は比較例１〜２に比べて開封し易いことがわかった。また、実施例は比較例１〜２よりも手の汚れ難さの評価が高くなった。実施例では、イージーピール層により形状保持部材と開口予定部との間に内容物が入ることが抑制される。このため、包装体の開封時に内容物が手に付着することが抑制される。これにより、実施例は比較例１〜２に比べて手が汚れ難いことがわかった。また、実施例は比較例２よりも開口性の評価が高くなった。実施例では、形状保持部材により開口が拡げられた状態が保持される。これにより、実施例は比較例２に比べて開口予定部を開口し易いことがわかった。なお、実施例は比較例１〜２よりも総合評価が高くなった。
【００７１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００７２】
１  包装体、１０  内容物、１１  第１側面フィルム、１２  第２側面フィルム、１３  底フィルム、２０  周縁部、２１  周縁シール部、２２  底シール部、２３  シール予定部、３０  収納部、４０  形状保持部材、５０  開口予定部、ＥＰ  イージーピール層、ＨＤ  天地方向、Ｓ１  第１シート、ＳＳ  超延伸シート、ＷＤ  幅方向。
【図１】
2020142803.tif 000004
【図２】
2020142803.tif 000005
【図３】
2020142803.tif 000006
【図４】
2020142803.tif 000007
【図５】
2020142803.tif 000008
【図６】
2020142803.tif 000009
【図７】
2020142803.tif 000010
【図８】
2020142803.tif 000011
【図９】
2020142803.tif 000012
【図１０】
2020142803.tif 000013
【図１１】
2020142803.tif 000014
【図１２】
2020142803.tif 000015
【図１３】
2020142803.tif 000016